(57)【要約】      （修正有）【課題】軽量化を維持しながら、つる性植物の生育にも悪影響を与えないようにしたつる性植物による屋根面緑化構造体を提供する。【解決手段】つる性植物による屋根面緑化構造体は、屋根面上に固定した発泡樹脂成形体である断熱材１０と、断熱材１０の上面に配置した断熱材押さえ具２０と、屋根面に配置したつる性植物用植裁基材３０と、つる性植物用植裁基材から生育するつる性植物Ｐとを少なくとも備える。【選択図】図１
2008187913.tif 000002
【特許請求の範囲】
【請求項１】
つる性植物による屋根面緑化構造体であって、屋根面上に固定した発泡樹脂成形体である断熱材と、該断熱材の上面に配置した断熱材押さえ具と、屋根面に配置したつる性植物用植裁基材と、該つる性植物用植裁基材から生育するつる性植物とを少なくとも備えることを特徴とするつる性植物による屋根面緑化構造体。
【請求項２】
前記断熱材押さえ具が、格子状材料または網状材料であることを特徴とする請求項１に記載のつる性植物による屋根面緑化構造体。
【請求項３】
前記断熱材押さえ具が、剛性を有する材料で作られておりかつ複数本の脚を有することを特徴とする請求項２に記載のつる性植物による屋根面緑化構造体。
【請求項４】
前記断熱材は、一面に耐根シートを積層していることを特徴とする請求項１から３のいずれか１項に記載のつる性植物による屋根面緑化構造体。
【請求項５】
前記断熱材は、一面に不織布を積層していることを特徴とする請求項１から４のいずれか１項に記載のつる性植物による屋根面緑化構造体。
【請求項６】
前記つる性植物用植裁基材は、その上端面が屋根面上に固定した前記断熱材の上面と同じ高さかより低い位置となるようにして屋根面に配置されていることを特徴とする請求項１から５のいずれか１項に記載のつる性植物による屋根面緑化構造体。
【請求項７】
前記つる性植物用植裁基材に沿うようにして給水パイプが備えられていることを特徴とする請求項１から６のいずれか１項に記載のつる性植物による屋根面緑化構造体。
【請求項８】
前記屋根面は折板屋根であり、前記断熱材は折板屋根面が平らな面となるように前記折板屋根に固定した固定具を用いて屋根面に固定されていることを特徴とする請求項１から７のいずれか１項に記載のつる性植物による屋根面緑化構造体。
【発明の詳細な説明】
【技術分野】
【０００１】
本発明は、つる性植物による屋根面緑化構造体に関する。
【背景技術】
【０００２】
屋根面に植物を育成して屋根面を緑化することが行われる。屋根面緑化には、屋根面に土壌層を有する植栽層を直接配置することもあり、発泡樹脂等で作られた保水性と排水性を備えた緑化基盤材を屋根や屋上に設置し、その上に植栽層を形成することもある。この場合、植生対象植物としては芝類やセダム類のような植物が挙げられる。
【０００３】
屋根上の広い面に土壌層や植裁層を形成すると、それはかなりの重量物となる。そのために、例えば既存の屋根面のように充分な耐荷重性を備えない屋根面の場合には、その上に重量のある緑化構造体を構築できないことが起こる。その対策として、特許文献１や特許文献２には、つる性植物を用いて屋根面を緑化することが提案されている。つる性植物の場合、屋根あるいはその近傍の一部の領域に、少数の例えばプランターのようなつる性植物用植裁基材を配置すれば、そこから屋根面のほぼ全面に植物が育成していくので、軽量化した屋根面緑化構造体とすることができる。
【０００４】
【特許文献１】特開２００４−３３１４５号公報
【特許文献２】特開２００６−５５１１９号公報
【発明の開示】
【発明が解決しようとする課題】
【０００５】
上記した従来のつる性植物による屋根面緑化構造体では、屋根の上に格子状あるいは網状をなすガイド部材を屋根面に直接配置し、該ガイド部材につる性植物を絡ませて育成するようにしている。この場合、屋根面からの輻射熱が植物の生長に悪影響を与える恐れがある一方において、生長する植物のつるや巻きひげあるいは根等が屋根面に損傷を与えることも起こり得る。
【０００６】
本発明は、上記のような事情に鑑みてなされたものであり、軽量化を維持しながら、つる性植物の生育にも悪影響を与えないようにしたつる性植物による屋根面緑化構造体を提供することを課題とする。
【課題を解決するための手段】
【０００７】
本発明によるつる性植物による屋根面緑化構造体は、屋根面上に固定した発泡樹脂成形体である断熱材と、該断熱材の上面に配置した断熱材押さえ具と、屋根面に配置したつる性植物用植裁基材と、該つる性植物用植裁基材から生育するつる性植物とを少なくとも備えることを特徴とする。
【０００８】
上記のつる性植物による屋根面緑化構造体では、屋根面の上に発泡樹脂成形体である断熱材を固定しており、屋根面からの輻射熱は断熱材により遮断されるので、軽量化を維持しながら、つる性植物の生育が熱ストレスにより阻害されることもない。また、植物のつるや巻きひげあるいは根の接触により屋根面が損傷するのも阻止できる。さらに、断熱材はその上に配置した断熱材押さえ具により屋根面に対して安定的に抑え付けられるとともに、つる性植物用植裁基材から生育するつる性植物は、前記断熱材押さえ具を伝って、屋根面上に広く生育することができる。つる性植物が、巻きつる系や巻きひげ系の植物の場合に、この効果は特に顕著である。巻きつる系あるいは巻ひげ系の植物としては、クレマチス、スイカズラ、カロライナジャスミン等が挙げられる。
【０００９】
本発明によるつる性植物による屋根面緑化構造体において、前記断熱材押さえ具は、屋根面上に固定した発泡樹脂成形体である断熱材が負圧等により飛散しないように上から抑え付ける機能を有するものであれば任意であるが、好ましくは、格子状材料または網状材料である。この形状であれば、断熱材の抑え付け機能とつる性植物の広い面積への生育補助機能の双方を同時に満足することができる。断熱材押さえ具の材料としては、樹脂材料や金属材料、木製材料等が挙げられる。腐食性の材料を用いる場合には、樹脂材料等でコーティングしておくことが望ましい。
【００１０】
本発明によるつる性植物による屋根面緑化構造体において、前記断熱材押さえ具は、パンチングメタルあるいは編組した金網のように剛性を有する材料で作られ、かつ複数本の脚を有する構成であることが好ましい。この場合には、前記脚により断熱材と断熱材押さえ具との間に隙間が形成されるので、つる性植物の生育を一層安定化することができる。
【００１１】
本発明によるつる性植物による屋根面緑化構造体において、前記断熱材のための発泡性樹脂材料としては、ポリスチレン、ポリエチレン、ポリプロピレン等の発泡性樹脂が挙げられる。発泡成形は、押出発泡成形でもよく、ビーズ型内発泡成形によってもよい。一般に、発泡樹脂成形体は耐候性に欠けるので、好ましくは、適宜の保護層をその上に形成する。保護層の一例として、従来知られた耐根シートや不織布が挙げられる。一方の面に耐根シートまたは不織布を積層したものを用い、その積層面を上にして屋根面に固定するようにしてもよく、一方の面に不織布を積層し他方の面に耐根シートを積層したものを用い、好ましくは不織布を積層した面を上にして屋根面に固定するようにしてもよい。
【００１２】
この形態の断熱材において、不織布が上面側に位置する場合には、該不織布は、生育するつる性植物の特性に付着根や吸着盤がある場合（ヘデラヘリックス、ヘデラカナリエンシス、ツルマサキ、ナツヅタ、ビグノニア等）に、その登はん補助材として機能する。また、不織布が下面側に位置する場合には、断熱材に対して、上からの負荷に対する高い曲げ耐性を与えることができる。耐根シートは、それが断熱材の上面側に位置する場合も下面側に位置する場合も、そこでつるや巻きひげや根がそれを超えて下方へ進出するのを阻止することができるので、屋根面が巻きひげやつるや根によって損傷を受けるのを一層確実に阻止することができる。
【００１３】
本発明によるつる性植物による屋根面緑化構造体において、前記つる性植物用植裁基材には、一例としてプランターのような箱形容器につる性植物の生育に必要な土や肥料等を入れたものを挙げられる。つる性植物用植裁基材が、その上端面が屋根面上に固定した前記断熱材の上面と同じ高さかより低い位置となるようにして屋根面に配置されていることは、好ましい。この態様では、断熱材上を流下する雨水あるいは散水した水を該基材内に効果的に取り入れることが可能となり、潅水に要するコストを低減することができる。また、つる性植物用植裁基材内への潅水を確実にするために、つる性植物用植裁基材に沿うようにして給水パイプを備えるようにしてもよい。この給水パイプを利用して肥料を水とともに供給することもできる。
【００１４】
本発明によるつる性植物による屋根面緑化構造体において、ベースとなる屋根は、平屋根でもよく、傾斜屋根でもよい。屋根面は平坦面であってもよく、折板屋根のように凹凸のある屋根面でもよい。また、本発明で屋根面というときには、屋上面も含まれる。折板屋根の場合には、立ちはぜ折板屋根も含まれる。折板屋根の上に本発明によるつる性植物による屋根面緑化構造体を作る場合には、前記断熱材は、折板屋根面が平らな面となるように前記折板屋根に固定した固定具を用いて屋根面に固定される。断熱材を固定することにより、屋根面の凹凸はなくなり平坦面となるので、施工性も向上する。
【発明の効果】
【００１５】
本発明によれば、軽量化を維持しながら、つる性植物の生育にも悪影響を与えないようにした、より改良されたつる性植物による屋根面緑化構造体が得られる。
【発明を実施するための最良の形態】
【００１６】
以下、図面を参照しながら、本発明によるつる性植物による屋根面緑化構造体の一実施の形態を説明する。図１は屋根面が立ちはぜ折板屋根である場合のつる性植物による屋根面緑化構造体の一形態の全体を示す斜視図であり、図２は他の形態のつる性植物による屋根面緑化構造体を建物の妻側から見た図である。図３は立ちはぜ折板屋根に断熱材等を固定する態様を説明するための図であり、図４は断熱材とつる性植物用植裁基材の位置関係を説明するための図である。また、図５は立ちはぜ折板屋根に取り付ける固定具を説明するための図である。
【００１７】
図１において、Ｒは屋根面の一例としての立ちはぜ折板屋根であり、その上に固定具６０（図５参照）を用いて発泡樹脂成形体である断熱材１０を固定している。好ましくは、断熱材１０として、一方の表面には不織布１１が積層され、他方の表面には耐根シート１２が積層されたものを用いる（図３、図４参照）。
【００１８】
最初に、立ちはぜ折板屋根Ｒとそこに固定する固定具６０を説明する。図５に示すように、立ちはぜ折板屋根Ｒは、左右の立ち上がり縁の上端部に互いに係合する湾曲部３ａ，３ｂを形成した長尺状の屋根板３を、隣接する屋根板３，３の湾曲部同士を係合（はぜ継ぎ）しながら、図示しない梁の上に専用の取り付け具を利用して固定して形成されるものであり、図１に示すように、屋根勾配方向であるＸ方向に走る山形部１が軒先方向であるＹ方向に所定ピッチで連続している。そして、該山形部１の頂部２には屋根板３を連接したときの丸みを持つ突条（立ちはぜ）４が屋根勾配方向に走っている。
【００１９】
固定具６０は、一定の横幅を持つ左右一対のクランプ片６１，６１で構成される。各クランプ片６１は、立ちはぜである突条４の下方領域を押さえ付ける挟持先端部６２ａとその上方の第１の水平部６２ｂとからなる膨出部６３と、前記挟持先端部６２ａの先端位置とほぼ同じ垂直位置において前記第１の水平部６２ｂから立ち上がる垂直部６４と、該垂直部６４の上端に位置する第２の水平部６５とを有し、垂直部６４には左右のクランプ片６１、６１を一体に締め付けるときに用いるボルトのためのボルト孔６６が形成されている。また、水平部６５には、断熱材押さえ具２０を固定するときに利用するボルト孔６７が形成されている。
【００２０】
固定具６０を立ちはぜである突条４に固定するに際しては、左右のクランプ片６１，６１の膨出部６３の間に、好ましくは適宜のパッキン材６８を埋め込んだ状態で、突条４を挟み込んだ姿勢とし、双方の垂直部６４に形成したボルト孔６６にボルト７０を通してナットで締め付ける（図３参照）。一定の横幅を持つ挟持先端部６２の先端と膨出部６３の内面側とで突条４を両側から押さえ付けた状態で、固定具６０は突条４に固定されるので、固定具６０の固定状態はきわめて安定したものとなる。固定具６０は、立ちはぜ折板屋根Ｒの所要位置に適数固定される。
【００２１】
次に、図３に示すように、そのようにして固定される固定具６０を利用して断熱材１０を固定する。好ましくは、不織布１１を積層した面を上面として断熱材１０を固定する。固定に当たっては、固定具６０の前記第１の水平部６２ｂと垂直部６４と第２の水平部６５とで形成されるコ字状空間内に、断熱材１０の縁部を差し込みながら、必要とされる枚数の前記断熱材１０を屋根面上に仮固定する。それにより、凹凸面である立ちはぜ折半屋根の上面は平坦な面とされる。その仮固定作業の途中で、屋根面における断熱材１０と断熱材１０の間の適所（図１では２箇所）に、プランターのような箱形容器３１を配置しておく。
【００２２】
次に、仮固定された断熱材１０の上面の好ましくはほぼ全域に、断熱材押さえ具２０を取り付ける。断熱材押さえ具２０は、風等により断熱材１０が飛ばされるのを抑え込むためのものであり、格子状あるいは網状のものを仮固定した断熱材１０の上に敷き詰め、その端部を屋根側に固定するような構造でもよい。図示のものでは、断熱材押さえ具２０は、編組した金網のように剛性を有する材料で作られた本体部２１と複数本の脚２２とで構成されている。前記固定具６０の第２の水平部６５、６５には、そこに形成したボルト孔６７を利用して支柱７１が立設固定されており、その先端に取り付けた押さえ板７２によって断熱材押さえ具２０の上面側の適所を抑え付けることにより、断熱材押さえ具２０を断熱材１０とともに屋根側に一体に固定するようにしている。
【００２３】
つる性植物の育成に当たっては、前記プランターのような箱形容器３１内に、土と必要な場合には肥料を入れてつる性植物用植裁基材３０とし、そこに、つる性植物の種子を播くか、つる性植物Ｐを植え付ける。必要な場合には、箱形容器３１（つる性植物用植裁基材３０）に沿うようにして給水パイプ（不図示）を備え、給水パイプを利用して肥料を水とともに供給する。また、好ましくは、図４に示すように、箱形容器３１の高さを屋根面上に固定した断熱材１０の上面と同じ高さかより低い位置となるようにする。それにより、断熱材１０上を流下する雨水あるいは散水した水をつる性植物用植裁基材３０内に効果的に取り入れることができる。
【００２４】
つる性植物用植裁基材３０内のつる性植物Ｐは、つるを断熱材押さえ具２０に絡ませながら断熱材１０の全面を覆うように生長していき、図１に示すようにつる性植物による屋根面緑化構造体となる。このつる性植物による屋根面緑化構造体は、断熱材１０を備えることにより、軽量化を維持しながら、つる性植物Ｐの生育に悪影響を与えることはない。また、断熱材１０を備えることにより屋内の温度上昇を効果的に抑制することもできる。
【００２５】
つる性植物用植裁基材３０（例えば箱形容器３１）を屋根面のほぼ中央のみに位置させるようにしてもよい。この場合でも、つる性植物Ｐは上方と下方に向けて同時に生育して行き、短時間で断熱材１０の全面を覆うことができる。これに限らず、図２に示すように、屋根面の軒先側や妻側にも、つる性植物用植裁基材３０（例えば箱形容器３１）を位置させるようにしてもよい。この場合、特に図示しないが、前記断熱材１０の上面と断熱材押さえ具２０との間につる性植物溶植裁基材３０（例えば箱形容器３１）を設置する形態とすることにより、安定して配置することができる。
【００２６】
断熱材１０を不織布１１の面を上にして固定したのは、生育するつる性植物の特性に付着根や吸着盤がある場合に、不織布１１をその登はん補助材として機能させることを目的としており、他の場合には、不織布１１を省略するか、不織布１１を下面として固定してもよい。この場合、発泡樹脂成形体である断熱材１０の上載荷重に対する耐曲げ性が向上する。また、耐根シート１２は、つる性植物Ｐのつる屋根が折板屋根に直接接触して腐食を生じさせるのを防止するためであり、その必要がない場合には、耐根シート１２も省略することができる。しかし、発泡樹脂成形体である断熱材１０の耐候性を維持するために、上面となる側に耐候性材料を積層することは推奨される。
【００２７】
また、図示の例では、立ちはぜ折板屋根を例としたが、これは単なる例示であって、何らかの手段により屋根面に断熱材を固定できることを条件に、屋根面は任意の屋根面であってよい。
【図面の簡単な説明】
【００２８】
【図１】屋根面が立ちはぜ折板屋根である場合のつる性植物による屋根面緑化構造体の一形態の全体を示す斜視図。
【図２】他の形態のつる性植物による屋根面緑化構造体を建物の妻側から見た図。
【図３】立ちはぜ折板屋根に断熱材等を固定する状態を説明するための図。
【図４】断熱材とつる性植物用植裁基材の位置関係を説明するための図。
【図５】立ちはぜ折板屋根に取り付ける固定具を説明するための図。
【符号の説明】
【００２９】
Ｒ…屋根（立ちはぜ折板屋根）、Ｐ…つる性植物、１…立ちはぜ折板屋根の山形部、２…頂部、３…屋根板、４…突条（立ちはぜ）、１０…発泡樹脂成形体である断熱材、１１…不織布、１２…耐根シート、２０…断熱材押さえ具、２１…本体部、２２…脚、３０…つる性植物用植裁基材、３１…プランターのような箱形容器、６０…固定具
【図１】
2008187913.tif 000003
【図２】
2008187913.tif 000004
【図３】
2008187913.tif 000005
【図４】
2008187913.tif 000006
【図５】
2008187913.tif 000007